(57)【要約】【課題】本発明は、床板、及びこの床板に直間接に付着してピボットし得るヒール支持部を備えるスノーボード・バインディングに関する。【解決手段】床板、及びピボットできるようにこの床板に直間接に付着されるヒール支持部を備えるスノーボード・バインディングは、中間部材を備える。中間部材は、ヒール支持部に付着し、スノーボード・バインディングの縦方向に調整可能に付着される。したがって、スノーボード・バインディングの効果的な長さが、各ブーツに適応され得る。また、中間部材の他の位置指定により、ヒール支持部は、スノーボード・バインディングの縦軸に対してななめに配置され得る。【選択図】図２
2004243122.tif 000002
【特許請求の範囲】
【請求項１】
床板、及び前記床板に直間接に付着してピボットし得るヒール支持部を備えるスノーボード・バインディングであって、
前記ヒール支持部は、床板及び前記床板から突出する側板に中間部材により付着し、前記中間部材の位置は、前記スノーボード・バインディングの縦方向に調整し得るスノーボード・バインディング。
【請求項２】
前記中間部材は、前記床板又は前記側板に少なくとも１つのネジにより付着し得ることを特徴とする請求項１に記載のスノーボード・バインディング。
【請求項３】
前記床板へ向かう中間部材の下側は、歯部を具備し、前記床板又は前記側板は、対応する歯部を備えることを特徴とする請求項１又は請求項２に記載のスノーボード・バインディング。
【請求項４】
前記床板又は前記側板は、少なくとも１つの縦方向ホールを具備し、少なくとも１つのネジが前記縦方向ホールを通じて延びることを特徴とする請求項２又は請求項３に記載のスノーボード・バインディング。
【請求項５】
少なくとも１つの支持部材は、前記延長された縦方向ホールに突出し、その側壁上に支持される中間部材に付着されることを特徴とする請求項４に記載のスノーボード・バインディング。
【請求項６】
少なくとも１つのネジは、少なくとも１つの支持部材を通じて延びることを特徴とする請求項５に記載のスノーボード・バインディング。
【請求項７】
前記中間部材から外側へ向かう側板の床板の下側は、前記ネジ用のスレッド・ナットを受容するための拡張された凹部を備えることを特徴とする請求項４乃至請求項６のいずれかに記載のスノーボード・バインディング。
【請求項８】
引張部材は、中間部材上に装着されてヒール支持部の外側周囲に案内され、前記引張部材のための付着ポイントは、前方の足領域側の方向に前方へスノーボード・バインディングの縦軸に対してヒール支持部をピボットするためのピボット支持部に対してオフセット配置されることを特徴とする請求項１乃至請求項７のいずれかに記載のスノーボード・バインディング。
【請求項９】
前記床板及び前記側板は、１つの部分として形成されることを特徴とする請求項１乃至請求項８のいずれかに記載のスノーボード・バインディング。
【請求項１０】
インステップ・ストラップの付着のための付着部材は、前記中間部材に付着されることを特徴とする請求項１乃至請求項９のいずれかに記載のスノーボード・バインディング。
【発明の詳細な説明】
【技術分野】
【０００１】
本発明は、床板、及びこの床板に直間接に付着してピボットし得るヒール支持部を備えるスノーボード・バインディングに関する。
【背景技術】
【０００２】
このようなバインディングの一例は、特許文献１に公知されている。このバインディングは、スノーボードの上面に装着され得る床板を備える。側板は、床板の両側から上側に垂直に突出する。調整可能なトウ及びインステップ・ストラップは、ヒール支持部だけでなくこれらの側板にも付着している。このヒール支持部は、ピボットすることができ、一般的に「ハイバック」とも呼ばれる。ヒール支持部は、２つの部分、即ちピボットし得る下部及びこの下部をネジで取り付ける上部からなる。この上部は、延長されたホールにより適切な位置に調整し得る。上記トウ及びインステップ・ストラップは、バインディングを特定の靴に適応させるために適切な長さに調整し得る。また、これらのストラップは、バインディングに入ったり出たりするために開放される。
【０００３】
通常、このようなバインディングは、１つ又は少数のサイズに製造され得る。ここで、上記ストラップを調整することによってバインディングを使用者の靴のサイズに適応させることは使用者の責任である。スノーボードのエッジに対するヒール支持部の相対的な位置は、スノーボードのネジ込み挿入物（いわゆるインサート）及び保持板の対応ホールによって固定される。該保持板は、床板の開口部に挿入される。販売されるバインディングによれば、保持板は、延長されたホール又は各付属ねじに対する一連のホールを備える。ここで、スノーボードに対するバインディングの位置が調整され、またスノーボードのヒール支持部及び隣接したエッジ間の相対的な位置も調整され得る。しかし、このような調整は、退屈であり、普通バインディングの最初の組み立て中に一回のみ行われる。
【特許文献１】ＥＰ ０   ８３８   ２４８   Ｂ１
【発明の開示】
【発明が解決しようとする課題】
【０００４】
本発明の課題は、スノーボード上に床板を組み立てした後にさえ各ブーツに対してバインディングを個別的に調整し得るように、特にヒール支持部の位置を調整し得るように従来のスノーボード・バインディングを向上させることである。
【課題を解決するための手段】
【０００５】
上記課題は、特許請求の範囲の第１項に与えられる特徴により解決される。本発明の有利な構成及び改良は、従属項において発見され得る。
【０００６】
本発明の基本的な原理は、両側の中間部材上にヒール支持部を維持し、これらの中間部材を床板又は側板上に装着するのである。ここで、中間部材の位置は、バインディングの縦方向に調整され得る。
【０００７】
床板に対向する中間部材の下側は、歯状であり、中間部材又は側板に対向する床板の上側は、上記歯状に対応する形状の歯部を備えることが望ましい。これによって、微細間隔に調整できる確実な密着性を有する接続になる。床板又は側板は、中間部材を貫通して延びるねじを通過させるために、少なくとも１つの開口部を備える。上記開口部は、延長されたホールとして形成される。
【０００８】
床板に対向する中間部材の下側には、少なくとも１つの支持部材が付着されることが望ましい。この支持部材は、上記開口部に結合してその側壁上に支持され、側壁は、特にバインディングの縦軸に対する中間部材の傾斜に対抗して高強度で支持部材と床板間の接続を可能にする。
【０００９】
中間部材に対して２つのネジ及び２つの支持部材が提供されることが望ましい。ここで、床板又は側板は、それぞれ２つの開口部を備え得る。
【００１０】
引張部材は、中間部材上に装着されることが望ましい。この引張部材は、ヒール支持部の上部領域の周囲に案内されてバインディングの閉鎖位置にヒール支持部を固定させる。
【発明を実施するための最良の形態】
【００１１】
以下、本発明は、図面と関連した実施例を参照としてより詳しく説明される。
【００１２】
図１のスノーボード・バインディングは、平らな床板１を備える。この床板からその両側において側板２が略垂直に上側に突出する。前方の足領域には、歯状ストラップ４及び５により、両側の側板に付着されるインステップ・ストラップ３がある。固定装置６及び７は、インステップ・ストラップに付着している。歯状ストラップ４及び５は、これら固定装置に挟まれて適切な位置に固定され得る。この時、インステップ・ストラップ３の長さ及び高さが調整され得る。ここで、インステップ・ストラップ３は、１つの部分から形成され、示されない靴の前方の足領域８からインステップ領域９まで延長される。
【００１３】
かかと領域において、中間部材１１は、両側の側板２に付着している。ピボット支持部１３に対してピボットし得るヒール支持部１２は、バインディングを開放するためのヒール支持部１２が矢印１４の方向に裏側にピボットされ得るように、この中間部材上に装着される。ヒール支持部１２は、引張部材１５により、示されている閉鎖位置に維持される。上記引張部材１５は、両側の中間部材１１に付着し、ヒール支持部１２をその外側に囲む。引張部材１５に対する付着ポイント１６は、ピボット支持部として形成され、ピボット支持部１３に対して前方の足領域８側の方向に前方にオフセットされ得る。引張部材１５は、ヒール支持部１２上の制御レバー１７において維持される。この制御レバーは、ピボット軸１８に対してピボットし得る。制御レバー１７が床板１側の方向に下方にピボットされると、ヒール支持部１２は、開放位置に裏側にピボットされ得る。逆に、バインディングは、ヒール支持部を前方に傾いて制御レバー１７を上側に傾くことによって閉鎖される。
【００１４】
歯状ベルト５は、図１に示したように、対応する中間部材１１に、参照番号５ａにより示したように、引張部材１５に対する付着ポイント１６に、参照番号５ｂにより示したように、中間部材１１の他の位置、例えば、付着ポイント１６とピボット支持部１３間に付着されることもできる。関連固定装置７、７ａ又は７ｂは、自分がピボットされ歯状ストラップ５、５ａ、５ｂに対して正しく整列できる。前方の歯状ストラップ４及びその固定装置６は、これらがピボットできるように、インステップ・ストラップ３がまたバインディングの縦方向に前後方に押されるように、側板２又はインステップ・ストラップ３に固定されることが明らかである。このような方式により、インステップ・ストラップは、その位置を指定し得る。
【００１５】
中間部材１１は、その下側に歯部１９を備える。この歯部は、側板２上の対向する歯部２０と結合される。中間部材１１は、バインディングの縦方向に配置され得る。ここで、ヒール支持部１２の位置は、バインディングの縦軸に対して調整され得る。したがって、バインディングの効果的な長さが、各靴に適応され得る。
【００１６】
２つの中間部材１１は、相互間に独立的に調整され得る。ここで、ヒール支持部１２は、斜めに位置されることもできる。
【００１７】
具体的な実施例において、ヒール支持部１２は、２つの部分、即ち中間部材１１に付着される下部２２、及びネジ接続部２４により下部に付着される上部２３からなる。ネジ接続部は、一連のホール２５又は延長されたホールを通じて上部及び下部２３及び２２間の多様な相対的な位置を許容する。ここで、同様に上部２３の斜めの位置が縦軸２１に対して可能である。
【００１８】
中間部材１１の側板２への付着は、図２においてより詳しく示され得る。側板は、それぞれ２つの縦方向のホール２６及び２７を備える。これらのホールは、床板１のフロア２５に延長され、バインディングの縦方向に延長される。歯部２０は、縦方向ホール２６及び２７の周囲の全体に形成される。
【００１９】
中間部材１１は、２つの貫通ホール２８及び２９を備える。これらの貫通ホールは、中間部材１１の高さ全体を貫通して延長される。ネジ３０及び３１は、これらのホール２８及び２９に挿入される。ネジ３０及び３１は、床板１のフロア２５から外側に付着される、スレッド・ナット３２及び３３と、必要な場合にはプレーン・ワッシャー又はロッキング・ワッシャー３４及び３５と相互作用する。縦方向ホール２６及び２７は、フロア２５から外側に延長部３６及び３７を備え、ナット３２及び３３、並びにプレーン・ワォッシャー３４及び３５がこれらの延長部に受容されるようにし、床板１のフロア２５を越えて突出しないようにする。
【００２０】
中間部材１１を側板２上により効果的に保持するために、それぞれ縦方向ホール２６及び２７に同じ高さに結合され、その側壁上に支持される支持部材３８及び３９は、ネジ３０及び３１を囲む。支持部材３８及び３９は、別途の部品として形成され、中間部材１１へ向かう面において歯部１９に対応する歯部を備え得る。しかし、支持部材３８及び３９は、また中間部材１１上において１つの部分から形成されることもある。
【００２１】
図３は、側板２を備える床板１の上面図を示す。歯部２０だけでなく縦方向ホール２６及び２７の位置及び配置も、図面から詳しく見られる。既存の方式で、床板は、ネジホール４１に結合されるネジにより、床板の開口部に結合される付着板４０により、スノーボードに付着される。「回転板」とも呼ばれるこのような付着板により、バインディングの回転位置、即ち非図示のスノーボードの縦軸に対するバインディングの縦軸２１の配置が調整され得る。
【００２２】
図４は、ホール２８及び２９だけでなく支持部材３８及び３９を備える中間部材１１の底面を示す図面である。
【００２３】
最後に、本発明は、ヒール支持部１２がバインディングを開放するように裏側にピボットされる、示される類型のスノーボード・バインディングにのみ有用なものではないということが言及されなければならない。本発明は、ヒール支持部が前方にのみピボットされることができ、バインディングがインステップとトウ・ストラップを解除することによって開放されるスノーボード・バインディングにも同様に使われ得る。
【図面の簡単な説明】
【００２４】
【図１】後方から斜めに見た本発明によるスノーボード・バインディングの斜視図である。
【図２】部分的に切断した表現のバインディングの側面図である。
【図３】床板の上面図である。
【図４】中間部材の下側の図面である。
【符号の説明】
【００２５】
１：床板
２：側板
３：インステップ・ストラップ
４，５：歯状ストラップ
１１：中間部材
１２：ヒール支持部
１３：ピボット支持部
１８：ピボット軸
１７：制御レバー
２４：ネジ接続部２４
２６，２７：縦方向のホール
２８，２９：貫通ホール
３０，３１：ネジ
３２，３３：スレッド・ナット
３４，３５：プレーン・ワォッシャー
３８，３９：支持部材
【図１】
2004243122.tif 000003
【図２】
2004243122.tif 000004
【図３】
2004243122.tif 000005
【図４】
2004243122.tif 000006
【外国語明細書】
2004243122.tif 000007
2004243122.tif 000008
2004243122.tif 000009
2004243122.tif 000010
2004243122.tif 000011
2004243122.tif 000012
2004243122.tif 000013
2004243122.tif 000014
2004243122.tif 000015
2004243122.tif 000016
2004243122.tif 000017